(57)【特許請求の範囲】
【請求項１】
ホイスト装置を使用して建屋内に設けられた密閉室で重量物を運搬する場合において、
建屋の天井上部にはホイスト装置およびホイスト装置が走行するレールが取り付けられていること、
前記ホイスト装置はワイヤ巻上げドラムとワイヤを備え、一方のワイヤエンドが巻き上げドラムに取り付けられ、もう一方のワイヤエンドがホイスト本体フレームに取り付く構造であり、ドラムに巻き付けられて垂れ下がるワイヤと本体フレームに取り付けられたワイヤエンドが成すループおよびドラムの回転軸方向が平行に配置され、ワイヤが成すループとドラムの回転軸方向はホイスト装置の進行方向と平行に配置されたホイスト装置を使用すること、
密閉室には密閉室の内圧を負圧にさせるためのガススクラバーが取り付けられていること、
密閉室の天井にはホイスト装置が走行するレールに沿って細長い隙間が設けられており、この細長い隙間を塞ぐように弾力性に富むヒューム漏れ防止シートが取り付けられていること、
ホイスト本体から垂れ下がる２本のワイヤには船状の蓋が通されており、ワイヤが成すループは密閉室天井に設けられた隙間を通って密閉室内部に入り込み、ワイヤが成すループ先端にはフックを備えていること、
ホイスト装置の移動に伴いワイヤに通された船状の蓋は密閉室天井の隙間に沿って移動すること、
を特徴とするホイスト装置を使用した密閉室のヒューム漏れ防止方法。
【発明の詳細な説明】
【０００１】
【産業上の利用分野】
本発明は、建屋内に設けられた密閉室内の荷物を運搬する場合に、密閉室外に取り付けたホイスト装置から吊り下げられるワイヤおよびフックを通す密閉室天井の細長い隙間において、この隙間から外側に漏れるヒュームを減少させる方法を提供する。
【０００２】
従来、溶融亜鉛めっき処理などを行う場合、脱脂工程で使用するアルカリ水溶液や酸洗い工程で使用する塩酸や硫酸水溶液を始め、各々の工程後で行う水洗いおよび亜鉛めっき処理や冷却処理でヒューム（白煙および水蒸気も含む）が発生する。これらのヒュームは、大気汚染につながるため、外部に漏らさないように溶融亜鉛めっき処理工程に使用するスペース全体を密閉した部屋（密閉室）で覆い、処理工程間の重量物の移動を密閉室内部の天井に取りつけられたホイストを使用して行っている。しかし、密閉室内に滞留するヒュームによってホイストは腐食や劣化の速度が速く、短期間で交換する必要があった。
【０００３】
この問題を解決する一つの手段として、密閉室天井に隙間を設け、ホイストは密閉室を覆う建屋天井に設置され、ホイストから垂れ下がるワイヤおよびフックを、密閉室の天井に設けた細長い隙間から密閉室内に降し、それを用いて各処理工程間の移動に使用する方法が用いられている。しかしながら、従来のホイストの構造では、ワイヤおよびフックの操作性を向上するために、ホイストから垂れ下がるワイヤ２本のワイヤエンドが、ワイヤを巻き取るドラムを幅広くまたいで配置される。この状態では、図１に示すように、ホイストの進行方向に関係なく、ワイヤの稼動範囲が幅広くなり、密閉室天井に設けられた隙間の幅も広くなる。そうすると、隙間をシール等で埋めるのが困難になる。従って、隙間を通りぬけるヒューム量が多く、隙間の上部に配置されているホイストにヒュームが接触し、ホイストが腐食しやすくなる問題があった。
【０００４】
【発明が解決しようとする課題】
本発明は、従来の技術の有するこのような問題点に鑑みてなされたものであり、密閉室天井に設けられた隙間にホイスト装置から垂れ下がるワイヤとフックを通して、密閉室内部の重量物を運搬する場合に、密閉室天井に設けた隙間から漏れるヒュームを減少させる方法を提供するものである。
【０００５】
【課題を解決するための手段】
上記目的を達成するために、本発明は、ホイスト装置から垂れ下がるワイヤの成すループとワイヤ巻き取りドラムが平行に配置され、かつワイヤが成すループとワイヤ巻き取りドラムの回転軸方向が進行方向と平行になるように配置されているホイスト装置を使用し、ホイスト装置から垂れ下がるワイヤには、往復する両ワイヤを通した船状の蓋を取り付け、その蓋は密閉室天井に設けられた隙間に沿ってホイスト装置と一緒に移動する。
【０００６】
建屋内に設けられた密閉室天井には隙間が設けられ、その隙間には例えばゴムや塩化ビニールシートのように弾力性に富むヒューム漏れ防止シートが取り付けられる。このヒューム漏れ防止シートは、通常はヒュームを漏らさないように密閉室天井隙間を覆い隠すような状態になっているが、ワイヤーに取り付けた船状の蓋に触れている部分だけは弾性変形して船状の蓋の移動を妨げない性質を持つ。ホイストのワイヤに取り付けられた船状蓋は、ホイストの移動に合わせて密閉室天井隙間を覆うヒューム漏れ防止シートを押し分けながら弾性変形させるため、船状蓋の形状は流線型が望ましい。
【０００７】
また、密閉室にはガススクラバーが取り付けられ、密閉室内部の気体を吸引しているため、密閉室の内圧は負圧となり、隙間からヒュームは室外に出にくくなる。
【作用】
【０００８】
本発明は、ワイヤ巻取りドラムの回転軸方向とワイヤが成すループが平行に配置され、またホイストの進行方向とも平行に配置されるホイスト装置を使用するため、ワイヤ巻取りドラムが回転しフックを上下させても、ワイヤはドラムの回転軸方向に対して左右に振れることがなくなる。従って、密閉室天井に設けられた隙間の幅を小さくでき、隙間から漏れるヒュームの絶対量も減少できる。また、ホイストに触れるヒューム量も減少するため、ホイストの劣化速度は低減される。
【０００９】
さらに、弾力性に富むヒューム漏れ防止シートが密閉室天井に設けられた隙間を塞ぐように取り付けられ、ホイストが密閉室天井の隙間に沿って移動する場合、ホイストから垂れ下がる両ワイヤに通した蓋が、ヒューム漏れ防止シートを押し分けて進むため、密閉室天井に設けられた隙間から漏れるヒュームの量は非常に少なくて済む。
【００１０】
また、密閉室の内部は、ガススクラバー等で気体を吸引しているため、室内圧は負圧となり、少々の隙間からヒュームは室外に出にくい。
【００１１】
ホイストから垂れ下がる両ワイヤに通した蓋は、船状のような流線型の形状にすることで、ワイヤとヒューム漏れ防止シートが絡まることなく、スムースな移動が可能になる。
【実施例】
【００１２】
以下、本発明の実施例を詳細に説明する。
図１は従来のホイストの正面図、図２はその側面図である。ホイストから垂れ下がるワイヤ１は、ワイヤエンド２の一方をワイヤ巻取りドラム３が巻き上げ、もう一方のワイヤエンド２はドラム３をまたいでホイストの一部に取り付ける構造になっている。この方法では、ワイヤの取り付け幅が大きい。また、ワイヤ巻取りドラムの巻き取りにより、ワイヤのドラム方向の移動が大きい。従って、密閉室天井に設ける隙間の幅を広くする必要があり、その結果としてヒュームの流出量が増す。
【００１３】
図３は本発明で使用するホイストの正面図、図４はその側面図である。ホイストから垂れ下がるワイヤ１は、ワイヤエンド２の一方をワイヤ巻取りドラム３が巻き上げ、もう一方のワイヤエンド２は、ワイヤ巻取りドラム３をまたぐごとなく、ワイヤの巻き上げ側と同じ方向のホイストの側部４に取り付けられる構造になっている。すなわち、ワイヤが成すループとワイヤの巻き取りドラムの回転軸方向は平行に配置される。さらに、ワイヤが成すループとワイヤの巻き取りドラムはホイスト装置の進行方向と平行に配置されている。そのため、ワイヤの取り付け幅がほとんどなく、またワイヤ先端に取り付けたフック６を上下した場合においても、ドラムの回転軸方向に対してワイヤ１が左右に振れることがなくなる。従って、密閉室天井に設けられた隙間の幅を小さくでき、隙間から漏れるヒュームの絶対量も減少できる。
【００１４】
図５に密閉室天井Ａに設けたホイスト用レールＢに沿った隙間Ｃと、その隙間Ｃにワイヤ部を通したホイスト装置Ｇの状態図を示す。また、ヒューム漏れ防止シートＤと密閉室天井Ａの取り付け状態を図６に示す。密閉室天井Ａの隙間Ｃには、ヒュームの漏れを常時塞ぐヒューム漏れ防止シートＤが取り付けられている。ヒューム漏れ防止シートＤは、容易に弾性変形するゴムや塩化ビニルのような素材を使用する。
【００１５】
図５のホイスト装置から吊り下がるワイヤ１に取り付けた船状の蓋５は、ホイストの移動に伴い密閉室天井の隙間Ｃ上を滑る様に移動する。このとき、船状の蓋５は、密閉室天井の隙間Ｃに取り付けられたヒューム漏れ防止シートＤを押し分けながら移動する。
【００１６】
図７にヒューム漏れ防止シートＤとホイストの移動に伴い船状の蓋５が当る接触部分の状態の上面図を、図８にその側面図を、図９にその正面図を示す。図に示すように、ヒューム漏れ防止シートＤは、ホイストの移動に伴い船状の蓋５が当る部分だけがめくれたり盛り上がったりする。このようにホイスト装置から吊り下がるワイヤ１に取り付けた船状の蓋５がヒューム漏れ防止シートＤを押し分けて移動するため、ホイストの移動がスムースになるとともに、ワイヤ１がヒューム漏れ防止シートＤと絡むのを防止する。さらに、密閉室天井の隙間からヒュームが漏れるのを防ぐ働きがある。
【００１７】
密閉室Ｅにはガススクラバーが取り付けられており、密閉室内の気体をガススクラバーで吸引しているため、密閉室Ｅの内圧は負圧となり、少々の隙間からヒュームは室外に出にくくなっている。
【発明の効果】
本発明は、以上に説明した手順で行うことにより、以下に記載するような効果を奏する。
【００１８】
建屋内に設けられた密閉室の真上建屋天井にホイストを備えて、密閉室内の重量物を運搬する場合、ワイヤ巻取りドラムの回転軸方向とワイヤが成すループが平行に配置され、またホイストの進行方向とも平行に配置されるホイスト装置を使用するため、細くて狭い範囲で作業ができる。そのため、密閉室天井に設けられた隙間の幅が小さくなるとともにヒューム漏れ防止シートが覆う幅を小さくできる。また、ホイストから垂れ下がるワイヤを通して取り付けられる船状の蓋により密閉室天上の隙間を塞ぐように取りつけられたヒューム漏れ防止シートを押し分けながら進むため、ヒューム漏れ防止シートとワイヤが絡まったりせず、なおかつ船状の蓋がヒューム漏れ防止シートと密着しているので、ヒュームが密閉室外に漏れるのを防ぐ。
【００１９】
さらに、密閉室の内部は、ガススクラバーで気体を吸引しているため、室内圧は負圧となり、少々の隙間からヒュームは室外に出にくい。
【図面の簡単な説明】
【図１】  従来のホイスト装置の正面図。
【図２】  従来のホイスト装置の側面図。
【図３】  本発明で使用するホイスト装置の正面図。
【図４】  本発明で使用するホイスト装置の側面図。
【図５】  建屋に備えた密閉室と密閉室真上建屋天井にホイスト装置を取り付けた状態図。
【図６】  ヒューム漏れ防止シートと密閉室天井の取り付け状態図。
【図７】  ホイストが吊り下げたワイヤに取り付く船上の蓋と密閉室天井に設けられたヒューム漏れ防止シートの接触部分の状態を示した上面図。
【図８】  ホイストが吊り下げたワイヤに取り付く船上の蓋と密閉室天井に設けられたヒューム漏れ防止シートの接触部分の状態を示した側面図。
【図９】  ホイストが吊り下げたワイヤに取り付く船上の蓋と密閉室天井に設けられたヒューム漏れ防止シートの接触部分の状態を示した正面図。
【符号の説明】
Ａ  密閉室天井
Ｂ  ホイスト用レール
Ｃ  密閉室天井の隙間
Ｄ  ヒューム漏れ防止シート
Ｅ  密閉室
Ｆ  建屋
Ｇ  ホイスト装置
１  ワイヤ
２  ワイヤエンド
３  ドラム
４  ホイスト側部
５  船状の蓋
６  フック
【図１】
0003772678.tif 000002
【図２】
0003772678.tif 000003
【図３】
0003772678.tif 000004
【図４】
0003772678.tif 000005
【図５】
0003772678.tif 000006
【図６】
0003772678.tif 000007
【図７】
0003772678.tif 000008
【図８】
0003772678.tif 000009
【図９】
0003772678.tif 000010